(57)【特許請求の範囲】
【請求項１】
柱部材（２）と、該柱部材（２）の前方へ突出して設けられるハンガー部材（３）とを有し、
上記柱部材（２）は、前板部（５）と該前板部（５）の裏側に所定間隔をおいて設けられた後板部（６）とを有する角パイプにより形成され、
上記ハンガー部材（３）はその根元部（３ａ）を上記柱部材（２）の前板部（５）へ貫通させて後板部（６）に係合可能になっており、
前記柱部材（２）は、前板部（５）にハンガー部材（３）貫通用の貫通口（８）を設け、後板部（６）にハンガー部材（３）係合用の係合口（１２）を設けており、
上記ハンガー部材（３）は、その根元部（３ａ）の下面側に貫通口（８）の開口縁部の下面部と当接する下面当接部分（２２）を備え、その根元部（３ａ）の上面側に係合口（１２）の開口縁部の上面部と当接する上面当接部分（２１）を備え、
前記上面当接部分（２１）は、ハンガー部材（３）の根元端側の上端隅部に上向きの切欠状に形成され、ハンガー部材（３）の根元端側の下端隅部に、アール面取り（３ｂ）が前記上面当接部分（２１）の下方に対応するように施されていることを特徴とするハンガーラック。
【請求項２】
前記ハンガー部材（３）は、使用状態において上方へ向けられる物品支持部分（１８）と、この物品支持部分（１８）の左右両側に折曲状に設けられた上下方向に長い断面形状を有する本体壁部（１９）とを備え、この本体壁部（１９）の下面に前記下面当接部分（２２）を備え、上面に前記上面当接部分（２１）を備えていることを特徴とする請求項１記載のハンガーラック。
【請求項３】
前記下面当接部分（２２）は下向きの切欠状に形成されていることを特徴とする請求項１又は２に記載のハンガーラック。
【発明の詳細な説明】
【０００１】
【発明の属する技術分野】
本発明は、柱部材に対してその前方へハンガー部材を片持ち状に設ける構成のハンガーラックに関するものである。
【０００２】
【従来の技術】
従来、柱部材に対してその前方へハンガー部材を片持ち状に設ける構成のハンガーラックでは、柱部材として角パイプを用い、またハンガー部材としては、側面視形状が横長の直角三角形状をした棚受け板と、この棚受け板を柱部材と共に横に複数並べた状態でそれらの上縁部相互間へ架設させる棚板とを有して成るものを用いるのが普通である。
この種、ハンガーラックを組み立てるには、柱部材の下端部を基礎面へ埋め込んだり又は柱部材の背面部を躯体壁面等へアンカ固定したりして立設状態にし、これを横方向に所定間隔で立て並べてゆき、その後、各柱部材の前面部に対して、その所望高さ位置へ棚受け板を上下複数段に係合させてゆき、最後に、各棚受け板上へ棚板を載せるという手順をとる。
【０００３】
ところで、トンネル内（発電所やダムその他の建築物内や坑道内等を含む）等において、その内壁面の通路方向に沿って電源送給や信号伝達用のケーブル又は流体送給用のパイプ等の長尺横部材を設けるに際し、上記のようにハンガー部材を片持ち支持する構成のハンガーラックを採用することが考えられる。
この場合、長尺横部材の本数は相当に多数本になるのが普通であり、トンネル内スペースに邪魔とならないようにするためには、これら長尺横部材を水平方向で並べるだけでなく、上下方向でも多数段に並べる必要がある。そのため、柱部材に対して上下に多数のハンガー部材を設ける必要がでてくる。
【０００４】
しかし、上記従来のハンガーラックは、ハンガー部材の棚受け板を柱部材の前面部へ係合させる構造であったため、各棚受け板では柱部材への係合箇所を上下２か所として、棚板が前下がりになるのを防止しており、このような事情から棚受け板は上下方向にある程度大きな形状を必要とし、その結果、柱部材に対して上下方向に係合できる棚受け板の数（即ち、ハンガー部材としての設置数）は、自ずと制限されることになる。
すなわち、このことがネックとなり、従来のハンガーラックをそのままトンネル内等において採用することはできなかった。そこで従来において、トンネル内等では、上下方向寸法を小型化したハンガー部材を製作すると共に、これを柱部材に対して溶接等により、上下小ピッチで固定する方法を採っていた。
【０００５】
【発明が解決しようとする課題】
柱部材に対して小型のハンガー部材を溶接等で固定する方法は、言うまでもなく面倒であり、特に、その作業場所がトンネル内等であれば、柱部材の本数も多いことに伴って固定箇所も極めて膨大な量となり、従って、作業環境が悪いこと等も手伝って、この種作業は大変困難で、時間や労力のかかるものとなっていた。
本発明は、上記事情に鑑みてなされたものであって、トンネル内等での長尺横部材の保持等においても好適に採用可能となるハンガーラックを提供することを目的とする。
【０００６】
【課題を解決するための手段】
本発明では、上記目的を達成するために、次の技術的手段を講じた。
即ち、本発明に係るハンガーラックにおいて、柱部材は、前板部とこの前板部の裏側に所定間隔をおいて設けられた後板部とを有している。これに対し、この柱部材の前方へ突出して設けるハンガー部材は、その根元部を上記柱部材の前板部へ貫通させたうえで、後板部に対して係合可能になっている。
すなわち、柱部材には、前板部に対してハンガー部材の根元部を貫通させるための貫通口が設けられていると共に、後板部に対してハンガー部材の根元部を係合させるための係合口が設けられている。
【０００７】
そして、これに対してハンガー部材は、その根元部の下面部が、柱部材の前板部に設けられた上記貫通口の開口縁部下面部と当接し、また根元部の上面部が、柱部材の後板部に設けられた上記係合口の開口縁部上面部と当接することになる。
このように、ハンガー部材は前後方向の２か所で前下がりとなるのを防止する構造にしているため、その上下方向寸法を小型化することが可能になる。
従って、柱部材において、ハンガー部材用の貫通口及び係合口を上下方向に小ピッチで複数設ければ、１本の柱部材あたりに多数のハンガー部材を設けることができるようになる。
【０００８】
そのため、例えばトンネル内等で多数本の長尺横部材を上下方向に多段状態で保持させる場合であれば、貫通口及び係合口の上下間隔を、各ハンガー部材の上方に対して長尺横部材の係脱に必要なスペースだけ確保させつつ設定することができるものである。
なお、柱部材に設ける貫通口や係合口は、それぞれ、孔である場合に限らず、切欠状の開口である場合等でもよい。
ハンガー部材において、少なくともその根元部を、上下方向に長い断面形状の本体壁部を有する構造にすることで、柱部材の貫通口及び係合口の各開口縁部に対して、この本体壁部の上面部や下面部を当接させることができる。
【０００９】
より詳しくは、ハンガー部材は、使用状態において上方へ向けられる物品支持部分と、この物品支持部分の左右両側に折曲状に設けられた上下方向に長い本体壁部とを備え、この本体壁部の下面に下面当接部分を備え、上面に上面当接部分を備えたものとすることができる。
このようにすると、本体壁部の上下各面部における圧縮強度が強くなるために、ハンガー部材としての曲げ強度や撓み強度、即ち、耐荷重強度を極めて強いものにでき、相当に重いもの、或いは流体の送給圧変動等に伴う上下振動が作用するもの等に対しても好適に使用できることになる。
【００１０】
特に、この本体壁部を左右一対の連結構造にしたり、これら両本体壁部の相互間に対して、それらの内面をバックアップする補強材を内装したりすれば、一層の強度アップに繋がる。
また、前記下面当接部分は下向きの切欠状に形成され、上面当接部分は上向きの切欠状に形成されていることが推奨される
ハンガー部材において、柱部材の貫通口や係合口に対して当接する部分に、この当接を前後方向の傾斜によって導く案内部を設けておけば、柱部材に対するハンガー部材の取り付けが容易且つ迅速に行える。
【００１１】
柱部材をトンネル内壁面等に当接させた状態で固定するには、その後板部に対して、壁面等に設けるアンカ等に係合させるためにダルマ孔等の壁面固定用孔を設けることになるが、この場合、柱部材の後板部の裏面には、上記壁面固定用孔の開口まわりを囲む背部スペーサを設けるのが好適となる。
この背部スペーサは、柱部材の係合口からその背面側へ突出するハンガー部材の根元端が、トンネル内壁面等に緩衝するのを防止する作用を奏するだけでなく、柱部材に設けられた壁面固定用孔の開口縁部を補強する作用をも兼備するものである。
【００１２】
柱部材において、前板部の貫通口及び後板部の係合口は、いずれもハンガー部材をそのまま通す開口形状とすることも可能である。例えば、ハンガー部材における断面方向の輪郭が長方形であれば、貫通口や係合口も長方形開口とする。このようにすると、柱部材に対する貫通口及び係合口の形成が簡単にできることになるし、また、これら貫通口や係合口としての開口が大きくなるため、柱部材として軽量化が図れる利点もある。
ハンガー部材としては、根元部寄り及び突端部寄りで上方へ突出するフック具を具備して、これら両フック具間で樋形状をしたケーブルトレーを支持可能にしたものを、その品種のうちの一つとして具備させておくことも可能である。
【００１３】
【発明の実施の形態】
以下、図面に基づいて本発明の実施の形態を説明する。
図１乃至図７は、本発明に係るハンガーラック１の第１実施形態を示している。このハンガーラック１は、柱部材２とハンガー部材３とを有している。
図２乃至図４に示すように、柱部材２は角パイプにより形成されている。従って、この角パイプの四周面部分のうち、柱部材２としての使用状態において正面（ハンガー部材３の突出方向）へ向けられる部分は前板部５とされ、またこの前板部５の裏側に所定間隔をおいて設けられることになる部分は後板部６とされるものである。
【００１４】
前板部５には、上下方向に所定間隔をおいてハンガー部材３の根元部３ａを貫通させるための貫通口８が設けられている。
各貫通口８の開口形状は、縦長の長方形状となっている。また、この前板部５には、柱部材２の長手方向適数箇所（上下両端部と、必要に応じてそれらの間の何箇所か）であって、且つ上記各貫通口８の相互間となる位置に、固設作業用口９が設けられている。この固設作業用口９は、覗き窓又は工具等の挿入孔として使用されるものであって、その開口形状は、強度的に許容される範囲で可及的に大きな縦長の長丸状とされている。
【００１５】
なお、本第１実施形態において、各貫通口８相互の上下間隔は、トンネル内等で多数本の長尺横部材Ｐ（図１参照）を上下方向に多段状態で保持させる場合を想定して、個々のハンガー部材３の上方に対して、長尺横部材Ｐの係脱に必要となる可及的に小さなスペースだけ確保できるように、細かなピッチに設定してある。
後板部６には、前板部５の各貫通口８に１対１対応となり、且つ各貫通口８よりも若干低くなる位置関係で、ハンガー部材３の根元部３ａを係合させるための係合口１２が設けられている。各係合口１２は、縦長の溝状に開口する左右一対の小口１２ａ，１２ｂを有したものとなっている。
【００１６】
また、この後板部６には、前板部５の各固設作業用口９に１対１対応となり、且つ各固設作業用口９よりも若干低くなる位置関係で、壁面固定用孔１３が設けられている。
この壁面固定用孔１３の開口形状は、図４に示すようにトンネル内壁面Ｗ等に設けられるアンカ１４に対し、その頭部１４ａを挿通可能にする径大下部孔１３ａと、アンカ１４の軸部１４ｂは挿通するが頭部１４ａは挿通不能にする径小上部孔１３ｂとを有するダルマ孔とされている。
【００１７】
そして更に、この後板部６の裏面には、上記壁面固定用孔１３に対応して、この開口まわりを囲むような状態で背部スペーサ１６が設けられている。この背部スペーサ１６は、柱部材２をトンネル内壁面Ｗ等に沿わせて立設させる場合に、柱部材２の背側へ隙間を保持させるためのもので、この隙間によって、上記後板部６の係合口１２からその背面側へ突出するハンガー部材３の根元端を収容し、これがトンネル内壁面Ｗ等に緩衝するのを防止するものである。
この背部スペーサ１６は、上記のように壁面固定用孔１３の開口まわりを囲むようになっている（即ち、背部スペーサ１６にも、壁面固定用孔１３と同じ開口形状を有する孔１６ａが設けられている）ので、この壁面固定用孔１３の開口縁部を補強する作用をも兼備しているものである。
【００１８】
一方、図５及び図６に示すように、ハンガー部材３は、断面ｎ字状を有する条材によって形成されている。従って、この条材のうち、ハンガー部材３としての使用状態において上方へ向けられる部分は物品支持部分１８とされ、またこの物品支持部分１８の左右両側に折曲状に設けられることになる部分は、断面形状を上下方向に長くした本体壁部１９とされるものである。
このハンガー部材３の根元部３ａにおいて、根元端の上面側には、左右の本体壁部１９間を通り抜ける配置で、上向きの切欠状をした上面当接部分２１が設けられており、この上面当接部分２１から柱部材２の太さ分だけ前方となる部分の下面側には、左右の本体壁部１９間を通り抜ける配置で、下向きの切欠状をした下面当接部分２２が設けられている。
【００１９】
上面当接部分２１は、図７に示すように、ハンガー部材３を柱部材２へ取り付ける際に、柱部材２の係合口１２に対してその開口縁部の上面部と当接させる部分である。この上面当接部分２１には、ハンガー部材３の後方側へ向けて上り方向に傾斜する案内部２１ａが設けられている。
下面当接部分２２は、ハンガー部材３を柱部材２へ取り付ける際に、柱部材２の貫通口８に対してその開口縁部の下面部と当接させる部分である。この下面当接部分２２には、ハンガー部材３の後方側へ向けて下り方向に傾斜する案内部２２ａが設けられている。
【００２０】
ハンガー部材３の先端部には、物品支持部分１８から前方斜め上方へ突出するズレ落ち防止片２３が設けられている。
なお、前記した柱部材２において、前板部５に設けられる貫通口８は、ハンガー部材３の根元部３ａを貫通させた状態で、ハンガー部材３を上下方向へ幾らか移動可能な大きさに形成されているが、左右方向へのガタツキは生じないようにするために、下面部の左右両隅部に対して、ハンガー部材３の下面当接部分２２と左右方向で係合可能にするための段落ち部８ａ（図２参照）が設けられている。
【００２１】
また、ハンガー部材３の根元端には、柱部材２の後板部６に設けられる係合口１２に対する挿入を容易にするため、下端隅部にアール面取り３ｂが施されている。
このような構成のハンガーラック１では、トンネル内壁面Ｗ等に予め設けられたアンカ１４に対して、柱部材２の後板部６に設けられた壁面固定用孔１３を、背部スペーサ１６を介して係合させ、立設させる。
そして、前板部５の各貫通口８からハンガー部材３の根元部３ａを挿入し、上面当接部分２１を後板部６の係合口１２における上面部へ当接させ、また下面当接部分２２を前板部５の貫通口８における下面部へ当接させ、それぞれ係合状態とさせる。
【００２２】
このようにして、柱部材２の立設と、この柱部材２に対するハンガー部材３の取り付けとを繰り返した後、各ハンガー部材３に対して長尺横部材Ｐ（例えば、電源送給や信号伝達用のケーブル又は流体送給用のパイプ等）を支持させてゆけばよい。
なお、ハンガー部材３としての強度を高めるために、図８に示すように、ハンガー部材３の内側へ断面形状がＵ字状をした補強材２６を内装し、溶接等しておくことにより、左右の本体壁部１９の内面をバックアップさせるようにするとよい。
【００２３】
この補強材２６の内装位置は、ハンガー部材３に必要とされる強度に応じて、根元部３ａの範囲だけとするか、又はこれより突出方向へも必要長さだけ延ばすようにするかを適宜選べばよい。
また、この補強材２６の断面形状は何ら限定されるものではなく、要は、ハンガー部材３の両本体壁部１９に対してそれらの内面に当接すればよいので、角パイプや丸パイプ等のパイプ材をはじめ、中実材や断面ｎ字状、Ｈ字状等の各種条材等を適用できるものである。
【００２４】
また、図示は省略するが、ハンガー部材３の断面形状についても、角パイプ状やＨ字状等としてもよい。また本体壁部１９を１枚だけ備えた構造（即ち、断面形状がＩ字状やＴ字状のもの等）にすることも可能である。
ハンガー部材３の長さは、支持する物品の形状や数等に応じて、適宜変更可能であることは言うまでもない。また、ハンガー部材３は、支持する物品の形状等に応じて、棚板やトレー等を具備した構成とすることもできる。
一方、柱部材２において、貫通口８や係合口１２を設ける相互間隔や個数等は、支持する物品の大きさや数等に応じて適宜変更可能であることは言うまでもない。勿論、この支持物品としても、長尺横部材Ｐに限定されるものではない。
【００２５】
従って、このハンガーラック１は、一般的な棚として使用することも可能であり、この場合には、ハンガー部材３として棚板を有した構成とすればよく、また柱部材２に対するハンガー部材３の取付ピッチを粗くすればよい。
柱部材２に対し、ハンガー部材３を水平に突出させることの他、斜め上方又は斜め下方へ傾けて突出させるようにしてもよい。
柱部材２の下端部は、地面等の基礎に達するものとしてもよい。この場合、柱部材２の立設固定は、下端部の埋設やアンカ止め等によるものでもよい。
【００２６】
柱部材２には、図９や図１０に示すように、断面形状がＨ字状をした条材を用いることができる。この場合、前板部５及び後板部６の幅方向中央部には条材のウエブ部分２７が存在することになるので、前板部５に設ける貫通口８についても、図３に示した後板部６の係合口１２と同様に、縦長の溝状に開口する左右一対の小口８ｂ，８ｃを有したものとすればよい。
なお、図１０に示したように、柱部材２において、前板部５の貫通口８や後板部６の係合口１２は、側方解放の切欠状に形成することも可能である。このような柱部材２に対応させるハンガー部材３としては、その根元部３ａから上記貫通口８を通り抜ける範囲で物品支持部分１８を切り欠いた構造にすればよい。
【００２７】
図１１乃至図１７は、本発明に係るハンガーラック１の第２実施形態を示している。この第２実施形態のハンガーラック１では、図１２及び図１３に示すように、柱部材２の後板部６に設けられる係合口１２についても、その開口形状が前板部５に設けられる貫通口８と同じように、長方形状をした１個の孔として形成されている。従って、ハンガー部材３をそのまま通すことができるものとなっている。
これに対し、図１３及び図１５に示すように、ハンガー部材３の根元部３ａでは、上面当接部分２１が物品支持部分１８と同一平面上に形成されており（即ち、切欠状にはなっていない）、案内部２１ａは、根元端から上り方向へ傾斜して突出された舌片３０によって形成されたものとしてある。
【００２８】
更に図１４に示すように、ハンガー部材３の根元部３ａと柱部材２とを横方向に串刺しにする抜け止めピン３１を設けることで、ハンガー部材３を柱部材２へ固定するものとした。この抜け止めピン３１は、割りピン３２によって抜け止めしてある。
このようなハンガー部材３では、図８で説明した補強材２６を内装させる構造にするのが、特に好適となる。
一方、この第２実施形態では、図１１に示すように、柱部材２の最上位置に設けるハンガー部材３として、図１６及び図１７に示すものを用いている。このハンガー部材３は、角パイプ等によって形成されており、その根元部３ａ寄り及び突端部３ｃ寄りには、上方へ突出するフック具３７が設けられている。そして、これら両フック具３７の相互間で、樋形状をしたケーブルトレー３８を支持可能になっている。
【００２９】
このようなケーブルトレー３８を用いると、光ファイバー等の撓みを嫌う長尺横部材の支持にとって好適となる。
なお、フック具３７は、ハンガー部材３に設けられた長孔３９を介してボルト４０及びナット４１によって止め付けられるものとしているため、この長孔３９内での位置調節が可能である。また、長孔３９自体を複数設けているため、これらの選択により、ケーブルトレー３８として幅方向寸法の異なる複数種のものを取付可能になっている。
【００３０】
このハンガー部材３の根元部３ａには、柱部材２の両側面部を外嵌する平面コ字状の嵌め込み部４５が溶接等により設けられている。そして、この嵌め込み部４５と柱部材２との間がカム取付手段４６によって固定されている。
このカム取付手段４６は、ハンガー部材３の嵌め込み部４５に対して、上側ほどハンガー部材３の突出方向（図１６の左方）へ傾くように形成された長孔形状をしたカム孔４８と、柱部材２から側方へ突出して上記カム孔４８へ挿通される支持軸４９とを有している。
【００３１】
カム孔４８は、嵌め込み部４５の両側に対して設けてあり、且つそれらが互いに同位置となるように配置させてある。そして、支持軸４９にはボルトを用いて、これを嵌め込み部材４５及び柱部材２に対して横方向へ貫通させ、ナット５０にて抜け止めさせるものとした。
このようなことから、このカム取付手段４６では、ハンガー部材３上に、上記した光ファイバー等の長尺横部材による荷重が加われば加わる程、嵌め込み部４５を下方へ沈ませながら柱部材２へ接近させるようになる。従って、柱部材２に対するハンガー部材３の保持強度が益々強固なものとなり、安定する。
【００３２】
ところで、本発明は、上記各実施形態に限定されるものではなく、その他細部構造、部材形状、材質等に関して、適宜変更が可能である。
【００３３】
【発明の効果】
以上の説明で明らかなように、本発明に係るハンガーラックでは、ハンガー部材の根元部を、柱部材に対し、その前板部では貫通口に貫通させておきながら後板部では係合口に係合させるものである。すなわち、ハンガー部材は、その根元部の下面側に貫通口の開口縁部の下面部と当接する下面当接部分を備え、その根元部の上面側に係合口の開口縁部の上面部と当接する上面当接部分を備え、この根元部の下面当接部分と上面当接部分との前後方向の２か所を柱部材に当接させて前下がりとなるのを防止する構造である。
【００３４】
従って、ハンガー部材の上下方向寸法を小型化できると共に、柱部材に対しては上下方向に小ピッチで取り付けることができ、その結果、例えばトンネル内等で多数本の長尺横部材を上下方向に多段状態で保持させる場合にも好適に対応できる。
ハンガー部材において、少なくともその根元部を、上下方向に長い断面形状をの本体壁部を有する構造とすることにより、ハンガー部材として耐荷重強度を高めることができる。
【図面の簡単な説明】
【図１】本発明に係るハンガーラックの第１実施形態を示す中間省略側面図である。
【図２】第１実施形態で用いられる柱部材の要部正面図である。
【図３】図２に対応する背面図である。
【図４】図２に対応する側断面図である。
【図５】第１実施形態で用いられるハンガー部材の中間省略側面図である。
【図６】図５のＡ−Ａ線断面図である。
【図７】第１実施形態における柱部材とハンガー部材との組み付け構造を示した要部側断面図である。
【図８】ハンガー部材に対して補強材を内装させた例を示した断面図（図６に対応）である。
【図９】柱部材及びハンガー部材の別実施形態における主要部の斜視図である。
【図１０】柱部材における更に別実施形態の主要部の斜視図である。
【図１１】本発明に係るハンガーラックの第２実施形態を示す中間省略側面図である。
【図１２】第２実施形態で用いられる柱部材の要部背面図である。
【図１３】第２実施形態における柱部材とハンガー部材との組み付け構造を示した要部側断面図である。
【図１４】図１３のＢ−Ｂ線断面図である。
【図１５】第２実施形態で用いられるハンガー部材の中間省略側面図である。
【図１６】第２実施形態で用いられる他の（最上位置の）ハンガー部材の側面図である。
【図１７】図１６に対応する平面図である。
【符号の説明】
１      ハンガーラック
２      柱部材
３      ハンガー部材
３ａ    根元部
３ｃ    突端部
５      前板部
６      後板部
８      貫通口
１２      係合口
１６      背部スペーサ
１８      物品支持部分
１９      本体壁部
２１      上面当接部分
２２      下面当接部分
【図１】
0003579406.tif 000002
【図２】
0003579406.tif 000003
【図３】
0003579406.tif 000004
【図４】
0003579406.tif 000005
【図５】
0003579406.tif 000006
【図６】
0003579406.tif 000007
【図７】
0003579406.tif 000008
【図８】
0003579406.tif 000009
【図９】
0003579406.tif 000010
【図１０】
0003579406.tif 000011
【図１１】
0003579406.tif 000012
【図１２】
0003579406.tif 000013
【図１３】
0003579406.tif 000014
【図１４】
0003579406.tif 000015
【図１５】
0003579406.tif 000016
【図１６】
0003579406.tif 000017
【図１７】
0003579406.tif 000018